(57)【要約】【課題】リジェクトボタンが押圧操作されても「クレ満ゴト」を防止することができるスロットマシンの提供。【解決手段】メダルの通過を検出する第１メダルセンサ31及び第２メダルセンサ32と、リジェクトボタン８の位置変位を検出するリジェクトボタンセンサ41を設け、このリジェクトボタンセンサ41でメダルセレクタ30の排出動作を検出する。そして、リジェクトボタンセンサ41がメダルセレクタ30の排出動作を検出したことを契機に、第１メダルセンサ31及び第２メダルセンサ32から出力されるメダル信号の信号レベルをＬレベルに強制的に固定する。これにゆり、「クレ満ゴト」用の欺瞞器具を作動させても、メダル信号の状態が変化しなくなるので、クレジット数が増えることがない。【選択図】    図４
2012105851.tif 000002
【特許請求の範囲】
【請求項１】
内部にメダルを流通させるメダル通路が形成された箱状を形成するとともに、メダルの進行方向に対して左右に離隔可能な本体部及び蓋部、並びに、前記メダル通路内におけるメダルの流通を検出するメダルセンサが設けられているメダルセレクタと、このメダルセレクタの前記メダルセンサからメダルが通過したことを示すメダル信号を受信すると、所定の遊技制御動作を実行する制御装置と、遊技者によって押圧操作されるように突没可能に設けられたリジェクトボタンとを備え、前記リジェクトボタンの押圧操作によって前記メダルセレクタの前記本体部及び前記蓋部が離隔して、前記メダルセレクタ内部のメダルを外部へ排出する排出動作を行うように形成されているスロットマシンであって、
前記メダルセンサは、出力するメダル信号に、Ｈレベル及びＬレベルの二つの信号レベルが設定されているとともに、メダルの通過を検出すると、メダル信号の信号レベルが、Ｈレベル及びＬレベルの一方から他方へ変化するものとされ、
前記リジェクトボタン及び前記メダルセレクタの少なくとも一方の位置変位を検出することで、前記メダルセレクタの排出動作を検出する排出動作検出センサを備え、
前記メダルセレクタ及び前記制御装置のいずれか一方には、前記排出動作検出センサが前記メダルセレクタの排出動作を検出したことを契機に、メダル信号の状態をＨレベル及びＬレベルのいずれか一方に強制的に固定する信号状態固定手段が設けられていることを特徴とするスロットマシン。
【請求項２】
前記メダルセンサは、メダルが流通するメダル通路へ光を放つ発光素子と、この発光素子からの光を受光するための受光素子とを備え、これらの発光素子及び受光素子でメダルの通過を検出するセンサであり、
前記信号状態固定手段は、前記メダルセレクタ側に設けられ、且つ、前記受光素子の出力端とグランドとの間に電気的に接続されるとともに、前記排出動作検出センサが前記メダルセレクタの排出動作を検出したことを契機に電気的に閉じることで、前記受光素子の出力端をグランドに短絡させる受光素子側スイッチング素子を備えたものであることを特徴とする請求項１記載のスロットマシン。
【請求項３】
前記信号状態固定手段には、前記発光素子とグランドとの間に前記発光素子と直列に配列されるように電気的に接続されるとともに、前記受光素子側スイッチング素子と前記受光素子との電気的導通が遮断されると、電気的に開く発光素子側スイッチング素子が設けられ、
前記発光素子は、前記受光素子側スイッチング素子と前記受光素子との電気的導通が遮断されると、前記発光素子側スイッチング素子が電気的に開くことによって、駆動電流が遮断されるように形成されていることを特徴とする請求項２記載のスロットマシン。
【発明の詳細な説明】
【技術分野】
【０００１】
本発明は、リジェクトボタンを押圧操作することにで、メダルセレクタ内を流通するメダルを外部へ排出するように形成されているスロットマシンに関する。
【背景技術】
【０００２】
従来から、人々に娯楽を提供する遊技機として、複数の回転リールに記された図柄を揃える遊技を行うスロットマシンが利用されている。
このスロットマシンは、所定枚数のメダルをメダル投入口に投入した後、スタートスイッチを操作すると、遊技が開始され、複数種類の図柄が記された回転リールが回転を開始するようになっている。そして、遊技者がストップスイッチを操作すると、回転リールが停止し、この際、表示されている図柄が所定の組み合わせになっていれば入賞となり、入賞した役に対応する枚数のメダルが遊技者に払い出されるようになっている。
【０００３】
このようなスロットマシンには、メダル投入口に投入されたメダルが適正なものであるか否かを判別し、不適正であると判定したメダルを排出し、適正なメダルのみを受け入れるように形成されたメダルセレクタを備えている。
ここで、メダルセレクタには、適正なメダルの枚数を計数するために、メダルの流通方向に沿って配列された二つの光学式メダル通過センサが設けられている。
このように、メダルの流通方向に沿って二つの光学式メダル通過センサを配列すれば、メダルの移動方向の検出も可能となるので、上流から下流へ向かって順方向に移動したメダルについてのみ計数が行える。しかも、下流から上流へ向かって逆方向に移動したメダルを検出した場合には、不正行為が行われているおそれがあるので、その旨を知らせる異常信号を外部へ出力することもできる。
【０００４】
ところで、スロットマシンが設置されている遊技場では、スロットマシンに設けられているメダルセレクタの光学式メダル通過センサに対して不正な操作を行って、あたかも適正なメダルが順方向に通過したように見せかけることで、クレジット数を不正に増やす不正行為、いわゆる「クレ満ゴト」が行われることがある。
【０００５】
この「クレ満ゴト」を行うにあたり、メダル投入口から光学式メダル通過センサまでの長さを有する平板部材と、この平板部材の先端に設けられるとともに、スロットマシン側に設けられた二つの光学式メダル通過センサに対応して配列された二つの発光ダイオードとを備えた欺瞞器具が利用される。
このような欺瞞器具の平板部材をスロットマシンのメダル投入口に挿入し、先端の発光ダイオードをスロットマシン側の光学式メダル通過センサの設置まで到達させ、上流側のものから順に、消灯状態から一時的に点灯状態にすれば、光学式メダル通過センサにとって、メダルが上流側から下流側へ通過した時と同じ光量の変化が作り出され、これにより、クレジット数を増すことができる。そして、クレジット数が増えた状態で、精算ボタンを操作すれば、メダルが払出口から排出されるので、本来ならば獲得することができないメダルを不正に得ることができる。
【０００６】
このような「クレ満ゴト」を防止するために、メダルセレクタ内のメダル通路に湾曲した湾曲部を設けたスロットマシンが知られている（例えば、特許文献１参照。）。
このようなスロットマシンによれば、メダル通路の途中、具体的には、メダル投入口から光学式メダル通過センサまでの間に湾曲部が形成されているので、欺瞞器具をメダル通路に挿通させるにあたり、湾曲部の側壁が平板部材に干渉する障害物となり、平板部材の先端に設けた発光ダイオードを光学式メダル通過センサの近傍まで到達させることができなくなる。このため、発光ダイオードを作動させても、クレジット数を増すことができず、これにより、「クレ満ゴト」を防止することができる。
【０００７】
また、万が一、「クレ満ゴト」に遭った場合、その被害をなるべく軽減するために、精算スイッチの操作を無効にする精算無効スイッチを内蔵したスロットマシンが提案されている（例えば、特許文献２参照。）。
すなわち、スロットマシンの筐体内に設けられている電源パネルに、予め、クレジットされているメダルを返却させる精算ボタンの操作を無効にする精算無効スイッチを設けておく。そして、遊技場で「クレ満ゴト」に遭ったことが判明したら、早急に、遊技場に設置されている全スロットマシンについて、精算無効スイッチを操作し、精算ボタンの操作が無効となるようにする。
このようにすれば、「クレ満ゴト」の発覚後には、「クレ満ゴト」でクレジットが不正に増やされても、精算ボタンの操作が無効となるので、メダルが払出口から排出されることがなくなり、「クレ満ゴト」の被害を軽減することができる。
【先行技術文献】
【特許文献】
【０００８】
【特許文献１】特開２００５−３０４６４１号公報
【特許文献２】特開２０１０−１４８７４９号公報
【発明の概要】
【発明が解決しようとする課題】
【０００９】
前述のように、メダルセレクタ内のメダル通路に湾曲部を設けたスロットマシンでは、メダルセレクタにメダル詰まりの際に、メダルセレクタを開いて詰まったメダルを排出するリジェクトボタンが設けられているので、リジェクトボタンの押圧操作によって、メダルセレクタを開くと、メダルセレクタ内のメダル通路も湾曲部を含めて左右に開き、この結果、メダルセレクタのメダル入口から光学式メダル通過センサまでの間には、障害物のない空間が開かれるようになっている。
このため、リジェクトボタンを押圧操作した状態で、欺瞞器具の平板部材をスロットマシンのメダル投入口に挿入すれば、平板部材先端の発光ダイオードが湾曲部に干渉されることなく、容易に光学式メダル通過センサの設置まで到達してしまう。
このため、リジェクトボタンが押圧操作されると、「クレ満ゴト」を防止できない、という問題がある。
なお、精算スイッチの操作を無効にする精算無効スイッチは、「クレ満ゴト」の被害を軽減するものであり、「クレ満ゴト」を防止するものではなく、また、このような精算無効スイッチでは、「クレ満ゴト」を防止することはできない。
【００１０】
そこで、各請求項にそれぞれ記載された各発明は、上記した従来の技術の有する問題点に鑑みてなされたものであり、その目的とするところは、リジェクトボタンが押圧操作されても「クレ満ゴト」を防止することができるスロットマシンを提供することである。
【課題を解決するための手段】
【００１１】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【００１２】
（請求項１）
（特徴点）
請求項１記載の発明は、次の点を特徴とする。
すなわち、請求項１に記載された発明は、内部にメダルを流通させるメダル通路が形成された箱状を形成するとともに、メダルの進行方向に対して左右に離隔可能な本体部及び蓋部、並びに、前記メダル通路内におけるメダルの流通を検出するメダルセンサ(31, 32)が設けられているメダルセレクタ(30)と、このメダルセレクタ(30)の前記メダルセンサ(31, 32)からメダルが通過したことを示すメダル信号を受信すると、所定の遊技制御動作を実行する制御装置(80)と、遊技者によって押圧操作されるように突没可能に設けられたリジェクトボタン(８)とを備え、前記リジェクトボタン(８)の押圧操作によって前記メダルセレクタ(30)の前記本体部及び前記蓋部が離隔して、前記メダルセレクタ(30)内部のメダルを外部へ排出する排出動作を行うように形成されているスロットマシン(１)であって、前記メダルセンサ(31, 32)は、出力するメダル信号に、Highレベル（以下「Ｈレベル」という。）及びLow レベル（以下「Ｌレベル」という。）の二つの信号レベルが設定されているとともに、メダルの通過を検出すると、メダル信号の信号レベルが、Ｈレベル及びＬレベルの一方から他方へ変化するものとされ、前記リジェクトボタン(８)及び前記メダルセレクタ(30)の少なくとも一方の位置変位を検出することで、前記メダルセレクタ(30)の排出動作を検出する排出動作検出センサ(41)を備え、前記メダルセレクタ(30)及び前記制御装置(80)のいずれか一方には、前記排出動作検出センサ(41)が前記メダルセレクタ(30)の排出動作を検出したことを契機に、メダル信号の状態をＨレベル及びＬレベルのいずれか一方に強制的に固定する信号状態固定手段(40,40A)が設けられていることを特徴とするものである。
【００１３】
（請求項２）
請求項２記載の発明は、前述した請求項１記載の発明において、次の特徴点を備えているものである。
すなわち、請求項２記載の発明は、前記メダルセンサ(31, 32)として、メダルが流通するメダル通路へ光を放つ発光素子(33)と、この発光素子(33)からの光を受光するための受光素子(34)とを備え、これらの発光素子(33)及び受光素子(34)でメダルの通過を検出するセンサを採用し、前記信号状態固定手段(40,40A)は、前記メダルセレクタ(30)側に設けられ、且つ、前記受光素子(34)の出力端とグランドとの間に電気的に接続されるとともに、前記排出動作検出センサ(41)が前記メダルセレクタ(30)の排出動作を検出したことを契機に電気的に閉じることで、前記受光素子(34)の出力端をグランドに短絡させる受光素子側スイッチング素子(Q1)を備えたものであることを特徴とする。
【００１４】
（請求項３）
請求項３記載の発明は、前述した請求項２記載の発明において、次の特徴点を備えているものである。
すなわち、請求項３記載の発明は、前記信号状態固定手段(40,40A)に、前記発光素子(33)とグランドとの間に前記発光素子(33)と直列に配列されるように電気的に接続されるとともに、前記受光素子側スイッチング素子と前記受光素子(34)との電気的導通が遮断されると、電気的に開く発光素子側スイッチング素子(61)が設けられ、前記発光素子(33)は、前記受光素子側スイッチング素子と前記受光素子(34)との電気的導通が遮断されると、前記発光素子側スイッチング素子(61)が電気的に開くことによって、駆動電流が遮断されるように形成されていることを特徴とするものである。
【発明の効果】
【００１５】
（請求項１の効果）
以上のように構成されている本発明は、以下に記載されるような効果を奏する。
すなわち、メダルセンサとして、出力するメダル信号に、Ｈレベル及びＬレベルの二つの信号レベルが設定されているとともに、メダルの通過を検出すると、メダル信号の信号レベルが、Ｈレベル及びＬレベルの一方から他方へ変化するものを採用し、且つ、リジェクトボタン及びメダルセレクタの少なくとも一方の位置変位を検出することで、メダルセレクタの排出動作を検出する排出動作検出センサを設け、さらに、メダルセレクタ及び制御装置のいずれか一方に、排出動作検出センサがメダルセレクタの排出動作を検出したことを契機に、メダルセンサから出力されるメダル信号の状態をＨレベル及びＬレベルのいずれか一方に強制的に固定する信号状態固定手段を設けたので、リジェクトボタンを押圧操作してメダルセレクタを開くと、排出動作検出センサによって、リジェクトボタン及びメダルセレクタの少なくとも一方の位置変位が検出され、この位置変位の検出を契機として、信号状態固定手段がメダル信号の状態をＨレベル及びＬレベルのいずれか一方に強制的に固定する。
このため、「クレ満ゴト」用に用意された欺瞞器具の平板部材をメダル投入口に挿入し、平板部材の先端に設けた発光ダイオードをメダルセンサの近傍で発光させても、メダルセレクタが開いた状態では、制御装置が受け取るメダル信号の状態は、Ｈレベル及びＬレベルのいずれか一方に強制的に固定されるので、リジェクトボタンを押圧操作した状態で欺瞞器具を動作させても、クレジット数を増やすことができず、これにより、「クレ満ゴト」を防止することができ、前記目的が達成される。
【００１６】
（請求項２の効果）
請求項２記載の発明によれば、上記した請求項１記載の発明の効果に加え、次のような効果を奏する。
すなわち、請求項２記載の発明によれば、メダルセンサとして、メダルが流通するメダル通路へ光を放つ発光素子と、この発光素子からの光を受光するための受光素子とを備え、これらの発光素子及び受光素子でメダルの通過を検出するセンサを採用し、また、信号状態固定手段として、メダルセレクタ側に設けられ、且つ、受光素子の出力端とグランドとの間に電気的に接続されるとともに、排出動作検出センサがメダルセレクタの排出動作を検出したことを契機に電気的に閉じることで、受光素子の出力端をグランドに短絡させる受光素子側スイッチング素子を備えたものを採用し、メダルセレクタの排出動作が排出動作検出センサによって検出されると、信号状態固定手段に設けた受光素子側スイッチング素子が電気的に閉じて、受光素子の出力端をグランドに短絡させるようにしたので、リジェクトボタンの押圧操作によって、制御装置が受け取るメダル信号の状態がＬレベルに固定される。
このため、「クレ満ゴト」用に用意された欺瞞器具の平板部材をメダル投入口に挿入し、平板部材の先端に設けた発光ダイオードをメダルセンサの近傍で発光させても、メダルセレクタが開いた状態では、制御装置が受け取るメダル信号の状態は、Ｌレベルに強制的に固定されるので、リジェクトボタンを押圧操作した状態で欺瞞器具を動作させても、クレジット数を増やすことができず、「クレ満ゴト」を防止することができる。
しかも、メダルセレクタにトランジスタ及び直流抵抗器等からなる簡単な電子回路を追加することで、メダルセレクタに対して信号状態固定手段を容易に付加することができ、しかも、メダルセレクタ側に信号状態固定手段を設けたので、メダルセレクタと制御装置との間の配線が増加することもなく、また、制御装置側を何ら改造する必要がないので、本発明を極めて容易に実施することができる。
【００１７】
（請求項３の効果）
請求項３記載の発明によれば、上記した請求項２記載の発明の効果に加え、次のような効果を奏する。
すなわち、請求項３記載の発明によれば、発光素子とグランドとの間に発光素子と直列に配列されるように電気的に接続されるとともに、受光素子側スイッチング素子と受光素子との電気的導通が遮断されると、電気的に開く発光素子側スイッチング素子を信号状態固定手段に設け、受光素子側スイッチング素子と受光素子との電気的導通が遮断されると、発光素子側スイッチング素子が電気的に開くことによって、発光素子の駆動電流が遮断されるようにしたので、排出動作検出センサが作動しないように、受光素子側スイッチング素子と受光素子との間の配線を切断すると、受光素子側スイッチング素子と受光素子との電気的導通が遮断され、発光素子側スイッチング素子が電気的に開き、これにより、発光素子の駆動電流が遮断され、発光素子は、消灯状態に固定される。
このため、排出動作検出センサの検出機能を不能にするために、受光素子側スイッチング素子と受光素子との間の配線を切断すると、発光素子は、消灯状態に固定され、点灯することがなくなり、制御装置が受け取るメダル信号の状態は、Ｈレベル及びＬレベルの一方に強制的に固定される。
従って、受光素子側スイッチング素子と受光素子との間の配線を切断して、排出動作検出センサの検出機能を不能にし、この状態で、リジェクトボタンを押圧したまま、「クレ満ゴト」用の欺瞞器具を作動させることで、クレジット数を増やそうとしても、制御装置の受け取るメダル信号の状態がＨレベル及びＬレベルの一方に固定されるので、クレジット数を増やすことができず、この場合でも、「クレ満ゴト」を防止することができる。
【図面の簡単な説明】
【００１８】
【図１】本発明の第１実施形態の全体を示す正面図である。
【図２】前記実施形態に係る筐体内部を示す正面図である。
【図３】前記実施形態に係るメダルセレクタの電気回路を示すブロック図である。
【図４】前記実施形態に係るメダルセレクタの電気回路を示す結線図である。
【図５】本発明の第２実施形態を示す図３に相当する図である。
【図６】前記実施形態の動作を説明するフローチャートである。
【図７】前記実施形態の断線判定対応処理を説明するフローチャートである。
【図８】前記実施形態に係るリジェクトボタン操作対応処理を説明するフローチャートである。
【図９】前記実施形態のメダル信号状態変更処理を説明するフローチャートである。
【発明を実施するための形態】
【００１９】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００２０】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００２１】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００２２】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２３】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００２４】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、後述するメダルセレクタ30に詰まったメダルを開放するためのリジェクトボタン８が設けられている。
なお、リジェクトボタン８は、遊技者によって押圧操作されるように、操作卓７に突没可能に設けられている。
【００２５】
このリジェクトボタン８の左方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
さらに、ベットスイッチ7Gの左斜め下方には、精算時に貯留されているメダルを払い出させる精算ボタン7Hが設けられている。
【００２６】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２７】
（筐体２）
次に、筐体２について簡単に説明する。
筐体２は、遊技の進行に必要な機能を有する複数種類の内部装置を内部に収納する箱状のものである。すなわち、筐体２は、図２に示すように、天面、底面、両方の側面、及び、背面の各々に配置される天板2A、一対の側板2B、底板2C、及び、背板2Dを備えているとともに、前面が開口された六面体に形成されたものである。
また、筐体２には、一対の側板2Bの間に架け渡された中板2Eが設けられている。この中板2Eによって、筐体２の内部空間は、上下に仕切られている。
【００２８】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板80を内蔵する基板ケース2F、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパユニット20、及び、これらの装置に電力を供給する電源装置９等が設けられている。
このうち、リールユニット10は、それぞれが円筒状に形成された複数の回転リール11を有するものである。そして、これらの回転リール11の各外周面には、特に図示していないが、複数種類の図柄が記されている。
以上において、主制御基板80は、スロットマシン１の遊技動作を制御する制御回路が形成されている制御基板となっている。
【００２９】
前扉３の裏側の面には、表側の面に配置された液晶表示装置4Eに対応して、液晶表示装置4E、演出用照明装置4B〜4D及び音声出力部4F, 6Cの動作を制御する図示しないサブ制御基板を内蔵する基板ケース2Gが設けられている。
また、前扉３の裏側の面には、表側の面に開口されたメダル投入口7Bに対応して、投入されたメダルの適否を判定するメダルセレクタ30が設けられている。
【００３０】
(メダルセレクタ30)
次に、投入されたメダルの適否を判定するメダルセレクタ30について説明する。
本実施形態のメダルセレクタ30は、一般的なメダルセレクタに、後述するメダル信号状態固定回路40を付加したものである。
まず、メダルセレクタ30における一般的な部分について簡単に説明する。
メダルセレクタ30は、組み合わせると箱状となるケーシング（図示略）を有し、このケーシングの内部にメダルを流通させるメダル通路（図示略）が形成されたものである。
ケーシングは、メダルの流通方向に対して左右に離隔可能な、図示しない本体部及び蓋部の二つの部品を備えたものである。そして、これらの本体部及び蓋部は、ヒンジで連結されて、メダルの流通方向に対して左右に開閉可能とされ、且つ、閉鎖状態を維持するように、バネで互いに接近する方向へ付勢されている。
【００３１】
このようなメダルセレクタ30は、前述のリジェクトボタン８が押圧操作されると、ケーシングが開いて、メダル通路内部のメダルを下方へ排出するようになっている。
換言すると、スロットマシン１は、リジェクトボタン８の押圧操作によってメダルセレクタ30の本体部及び蓋部が離隔して、メダルセレクタ30内部のメダルを外部へ排出する排出動作を行うように形成されている。
【００３２】
ここで、メダルセレクタ30には、前述のリジェクトボタン８が押圧操作されたことを検出するために、後述するフォトインターラプタ式のリジェクトボタンセンサ41が設けられている。
また、メダルセレクタ30の内部に形成されているメダル通路の途中には、湾曲した湾曲部（図示略）が設けられている。
さらに、メダルセレクタ30には、メダル通路における下流側の端部近傍を通過するメダルを検出するために、後述するフォトインターラプタ式の第１メダルセンサ31及び第２メダルセンサ32が設けられている。
第１メダルセンサ31及び第２メダルセンサ32の各々は、出力するメダル信号に、Ｈレベル及びＬレベルの二つの信号レベルが設定されているとともに、メダルの通過を検出すると、メダル信号の信号レベルが、ＨレベルからＬレベルへ変化し、メダルが通過してしまい、その検出が行えなくなると、ＬレベルからＨレベルへ戻るものとなっている。
このような第１メダルセンサ31及び第２メダルセンサ32の二つのセンサを備えたメダルセレクタ30は、メダル通路の所定位置をメダルが通過したことだけでなく、当該メダル通路におけるメダルの流通方向をも検出できるようになっている。
【００３３】
（メダル信号状態固定回路40）
次いで、メダルセレクタ30に設けられているメダル信号状態固定回路40について詳しく説明する。
メダル信号状態固定回路40は、リジェクトボタン８の押圧操作を検出するリジェクトボタンセンサ41の検出結果に基づいて、第１メダルセンサ31及び第２メダルセンサ32のそれぞれから出力されるメダル信号の状態を、Ｌレベルに強制的に固定するものである。
すなわち、メダル信号状態固定回路40の入力部には、図３に示すように、固定処理の対象となるメダル信号を発信する第１メダルセンサ31及び第２メダルセンサ32と、固定処理実行の基準となる操作検出信号を発信するリジェクトボタンセンサ41とが電気的に接続されている。
また、メダル信号状態固定回路40の出力部には、図３の如く、第１メダルセンサ31及び第２メダルセンサ32からのメダル信号に基づいて制御動作を行う主制御基板80が電気的に接続されている。なお、主制御基板80は、第１メダルセンサ31及び第２メダルセンサ32からメダルが通過したことを示すメダル信号を受信すると、クレジット値を一つずつ増やす動作等、所定の遊技制御動作を実行する制御装置となっている。
【００３４】
以上において、リジェクトボタン８は、遊技者等によって押圧操作されると、加えられた押圧力でリジェクトボタン８自体が移動し、これにより、位置変位を生じるものとなっている。
また、メダルセレクタ30は、遊技者等によってリジェクトボタン８が押圧操作されると、リジェクトボタン８に押されて、その蓋部が移動し、これにより、変位を生じるものとなっている。
さらに、リジェクトボタンセンサ41は、リジェクトボタン８の位置変位を検出することで、メダルセレクタ30の排出動作を検出する排出動作検出センサとなっている。
【００３５】
このようなメダル信号状態固定回路40は、第１メダルセンサ31及び第２メダルセンサ32並びにリジェクトボタンセンサ41から受信した信号を処理するために、トランジスタや直流抵抗素子等の複数種類の電子部品を組み合わせた電子回路を備えたものである。
ここで、第１メダルセンサ31及び第２メダルセンサ32の各々としては、メダルが流通するメダル通路へ光を放つ発光素子と、この発光素子からの光を受光するための受光素子とを備えた反射型フォトインターラプタ式センサが採用されている。
すなわち、第１メダルセンサ31及び第２メダルセンサ32の各々は、図４に示すように、発光素子としてのＬＥＤ33と、受光素子としてのフォトトランジスタ34とを備えたものである。そして、ＬＥＤ33及びフォトトランジスタ34は、両方ともメダル通路を流通するメダルの一方の面に臨む同一の側壁に設置されている。
【００３６】
この際、第１メダルセンサ31及び第２メダルセンサ32の各々は、メダルがメダル通路を流通していないときは、ＬＥＤ33の照射した光を反射させるものがなく、ＬＥＤ33の照射した光がフォトトランジスタ34に到達しないので、フォトトランジスタ34のコレクタとエミッタとの間が導通状態を維持し、これにより、出力信号であるメダル信号がＨレベルを維持するようなっている。
一方、第１メダルセンサ31及び第２メダルセンサ32の各々は、メダルが内部のメダル通路を流通すると、メダル通路を流通するメダルがＬＥＤ33の照射した光を反射し、その反射光がフォトトランジスタ34に到達するので、フォトトランジスタ34のコレクタとエミッタとの間が導通状態となって、出力信号であるメダル信号がＬレベルとなり、これにより、メダルの通過を検出するようになっている。
【００３７】
また、リジェクトボタンセンサ41は、第１メダルセンサ31及び第２メダルセンサ32と同様に、発光素子としてのＬＥＤ41A と、受光素子としてのフォトトランジスタ41B とを備えた透過型フォトインターラプタ式センサである。
そして、ＬＥＤ41A 及びフォトトランジスタ41B は、リジェクトボタン８の移動範囲を挟んで当該移動範囲の両側に配置されている。
ここで、リジェクトボタン８は、非押圧操作状態のときに、その全体がＬＥＤ41A 及びフォトトランジスタ41B の間から外れた位置に配置され、リジェクトボタンセンサ41の光路全体を開通状態にし、ＬＥＤ41A の照射光をフォトトランジスタ41B に到達させるようになっている。
一方、リジェクトボタン８は、押圧操作されると、その所定部分がＬＥＤ41A 及びフォトトランジスタ41B の間に入り、光路を遮断し、ＬＥＤ41A の照射光をフォトトランジスタ41B に到達させないようになっている。
【００３８】
換言すると、リジェクトボタンセンサ41は、リジェクトボタン８が非押圧操作状態のときは、その光路が開通状態となり、ＬＥＤ41A の照射光がフォトトランジスタ41B に到達し、フォトトランジスタ41B のコレクタとエミッタとの間が導通状態となり、排出動作信号がＬレベルを維持するようなっている。
一方、リジェクトボタンセンサ41は、リジェクトボタン８が押圧操作されると、リジェクトボタン８の所定部位が光路を遮断し、ＬＥＤ41A の照射光がフォトトランジスタ41B に到達しなくなるので、フォトトランジスタ41B のコレクタとエミッタとの間が遮断状態となってＨレベルとなり、これにより、メダルの排出動作を検出するものである。
【００３９】
続いて、メダル信号状態固定回路40の電気回路そのものについて説明する。
メダル信号状態固定回路40は、図４の如く、第１メダルセンサ31及び第２メダルセンサ32から出力されるメダル信号のレベルをＬレベルに固定するＬレベル固定部50と、第１メダルセンサ31及び第２メダルセンサ32から出力されるメダル信号のレベルをＨレベルに固定するＨレベル固定部60とを備えたものとなっている。
【００４０】
Ｌレベル固定部50は、リジェクトボタンセンサ41を回路の中に含んで構成され、リジェクトボタンセンサ41の出力するレベル信号に基づいて動作するものである。
すなわち、Ｌレベル固定部50には、前述のリジェクトボタンセンサ41と、リジェクトボタンセンサ41のＬＥＤ41A に流れる電流を整える直流抵抗素子R1と、リジェクトボタンセンサ41のフォトトランジスタ41B に流れる電流を整える直流抵抗素子R2と、メダル信号のレベルをＬレベルに固定するためのスイッチング素子であるトランジスタQ1と、リジェクトボタンセンサ41の信号を送らせてトランジスタQ1に伝達する遅延回路51とが設けられている。
このうち、遅延回路51は、時定数回路としての直流抵抗素子R3及び静電容量素子Ｃと、二つの入力の論理積を演算する論理積ＩＣ52とを備えたものである。
【００４１】
Ｈレベル固定部60は、第１メダルセンサ31及び第２メダルセンサ32の出力と、Ｌレベル固定部50との電気的接続が断たれたことを契機に、第１メダルセンサ31及び第２メダルセンサ32に設けられたＬＥＤ33への電流を遮断するものである。
すなわち、Ｈレベル固定部60には、第１メダルセンサ31及び第２メダルセンサ32に設けられたＬＥＤ33への電流を遮断するためのフォトカプラ61と、このフォトカプラ61の出力を遮断状態にするためのスイッチング素子であるトランジスタQ2と、フォトカプラ61に設けられているＬＥＤ62に流れる電流を整える直流抵抗素子R1とが設けられている。
このうち、フォトカプラ61は、前述のＬＥＤ62と、このＬＥＤ62が発する光を受けると導通状態となるフォトトランジスタ63とを備えたものである。
【００４２】
ここで、メダル信号状態固定回路40には、第１メダルセンサ31、第２メダルセンサ32、トランジスタQ1及び論理積ＩＣ52等に電源電圧を印加する電子回路用の電源電圧Ｖccと、電子回路だけでなくモータ等の動力装置にも電源電圧を印加する汎用の電源電圧１２Ｖとの両方が印加されている。
【００４３】
そして、第１メダルセンサ31及び第２メダルセンサ32の各ＬＥＤ33は、直流抵抗素子R1を介してアノードに電源電圧Ｖccが印加され、且つ、カソードがＨレベル固定部60のフォトトランジスタ63のコレクタに接続されている。
第１メダルセンサ31及び第２メダルセンサ32の各フォトトランジスタ34は、直流抵抗素子R4を介してコレクタに電源電圧１２Ｖが印加されているとともに、エミッタがグランドに接地されている。
また、フォトトランジスタ34のコレクタは、逆流防止用のダイオードＤを介して、Ｌレベル固定部50に設けられているトランジスタQ1のコレクタに接続されている。
【００４４】
Ｌレベル固定部50に設けられているリジェクトボタンセンサ41のＬＥＤ41A は、直流抵抗素子R1を介してアノードに電源電圧Ｖccが印加され、且つ、カソードがグランドに接地されている。
リジェクトボタンセンサ41のフォトトランジスタ41B は、直流抵抗素子R2を介してコレクタに電源電圧Ｖccが印加され、且つ、エミッタがグランドに接地されている。
Ｌレベル固定部50に設けられている論理積ＩＣ52は、一方の入力端がリジェクトボタンセンサ41のフォトトランジスタ41B に接続されている。この論理積ＩＣ52の他方の入力端は、時定数回路の直流抵抗素子R3を介してフォトトランジスタ41B のコレクタに接続されているとともに、静電容量素子Ｃを介してグランドに接地されている。
【００４５】
この際、論理積ＩＣ52の出力信号は、フォトトランジスタ41B のコレクタの電位がＨレベルになった後、時定数回路によって定められる所定時間が経過すると、ＬレベルからＨレベルへ移行し、フォトトランジスタ41B のコレクタの電位がＬレベルに戻ると、速やかにＬレベルに戻るようになっている。
論理積ＩＣ52の出力端は、メダル信号のレベルをＬレベルに固定するためのトランジスタQ1のベースに接続されている。
以上において、排出動作検出センサであるリジェクトボタンセンサ41は、メダルセレクタ30の排出動作を検出したことを契機に、フォトトランジスタ41B のコレクタの電位がＨレベルとなる、換言すると、フォトトランジスタ41B のコレクタ−エミッタ間が電気的に開くように形成されている。
【００４６】
トランジスタQ1は、前述したように、逆流防止用のダイオードＤを介して、第１メダルセンサ31及び第２メダルセンサ32のフォトトランジスタ34のコレクタが、そのコレクタに接続され、且つ、エミッタが接地されている。
第１メダルセンサ31及び第２メダルセンサ32の出力するレベル信号は、トランジスタQ1のコレクタ−エミッタ間が導通状態となると、第１メダルセンサ31及び第２メダルセンサ32のコレクタがグランドと導通状態となり、当該コレクタの電位がグランドレベルまで低下するので、Ｌレベルに固定されるようになっている。
ここにおいて、トランジスタQ1は、受光素子であるフォトトランジスタ34の出力端としてのコレクタとグランドとの間に接続されているとともに、排出動作検出センサであるリジェクトボタンセンサ41が排出動作を検出したことを契機に電気的に閉じ、且つ、電気的に閉じる、換言すると、コレクタ−エミッタ間が導通することで、受光素子であるフォトトランジスタ34の出力端としてのコレクタをグランドに短絡させる受光素子側スイッチング素子となっている。
【００４７】
Ｈレベル固定部60に設けられているフォトカプラ61のＬＥＤ62は、直流抵抗素子R5を介してアノードに電源電圧１２Ｖが印加され、且つ、カソードがトランジスタQ2のコレクタに接続されている。
トランジスタQ2は、直流抵抗素子R4及びダイオードＤを介してベースに電源電圧１２Ｖが印加され、エミッタが接地されている。
これにより、トランジスタQ2は、第１メダルセンサ31及び第２メダルセンサ32との接続が断たれると、換言すると、第１メダルセンサ31及び第２メダルセンサ32に設けられたフォトトランジスタ34のコレクタとの間の配線が切断されると、遮断状態となるように形成されている。
【００４８】
また、フォトカプラ61のフォトトランジスタ63は、前述したように、そのコレクタが第１メダルセンサ31及び第２メダルセンサ32のＬＥＤ33のアノードに接続され、且つ、エミッタが接地されている。
これにより、第１メダルセンサ31及び第２メダルセンサ32のＬＥＤ33は、フォトトランジスタ63が遮断状態となると、駆動電流が遮断され、消灯するようになっている。
ここで、フォトカプラ61のフォトトランジスタ63は、ＬＥＤ62からの光を受光しているときのみ導通状態となるものであり、第１メダルセンサ31及び第２メダルセンサ32との間の配線の切断されたことに起因してトランジスタQ2が遮断状態となるによって、ＬＥＤ62が消灯すると、遮断状態となり、第１メダルセンサ31及び第２メダルセンサ32のＬＥＤ33を消灯させるようになっている。
【００４９】
以上において、フォトカプラ61のフォトトランジスタ63は、第１メダルセンサ31及び第２メダルセンサ32の発光素子であるＬＥＤ33とグランドとの間に、ＬＥＤ33と直列に配列されるように電気的に接続されるとともに、受光素子側スイッチング素子であるトランジスタQ1と、第１メダルセンサ31及び第２メダルセンサ32の受光素子である二つのフォトトランジスタ34との電気的導通が遮断されると、電気的に開く発光素子側スイッチング素子となっている。
また、第１メダルセンサ31及び第２メダルセンサ32の発光素子であるＬＥＤ33は、受光素子側スイッチング素子であるトランジスタQ1と、第１メダルセンサ31及び第２メダルセンサ32の受光素子である二つのフォトトランジスタ34との電気的導通が遮断されて、発光素子側スイッチング素子であるフォトカプラ61のフォトトランジスタ63が電気的に開くことによって、駆動電流が遮断されるように形成されている。
【００５０】
以上のような本実施形態では、リジェクトボタンセンサ41を押圧した状態を所定時間以上継続させると、Ｌレベル固定部50のトランジスタQ1が導通状態となって、第１メダルセンサ31及び第２メダルセンサ32のフォトトランジスタ34のコレクタを接地させた状態にするので、第１メダル信号及び第２メダル信号の両方ともＬレベルに固定される。
第１メダル信号及び第２メダル信号の両方から出力されるメダル信号が、両方ともＬレベルに固定され、この状態が予め定められた時間以上に継続すると、主制御基板80からメダル停滞エラーが発報される。
また、リジェクトボタンセンサ41の押圧操作によってトランジスタQ1が導通状態となっても、第１メダルセンサ31及び第２メダルセンサ32のフォトトランジスタ34のコレクタが接地されないようにするために、トランジスタQ1と、第１メダルセンサ31及び第２メダルセンサ32のフォトトランジスタ34とを接続する配線が切断されると、Ｈレベル固定部60のトランジスタQ1が遮断状態となり、これに引き続き、フォトカプラ61のフォトトランジスタ63も遮断状態となるので、第１メダルセンサ31及び第２メダルセンサ32のＬＥＤ33は、駆動電流が遮断されて消灯状態となり、これにより、第１メダル信号１及び第２メダル信号の両方ともＨレベルに固定される。
【００５１】
（第１実施形態の効果）
前述のような第１実施形態によれば、次のような効果が得られる。
すなわち、メダルの通過を検出する第１メダルセンサ31及び第２メダルセンサ32として反射型フォトインターラプタ式センサを採用し、メダルの通過を検出すると、第１メダルセンサ31及び第２メダルセンサ32から出力されるメダル信号の信号レベルが、ＨレベルからＬレベルへ変化するようにし、且つ、リジェクトボタン８の位置変位を検出することで、メダルセレクタ30の排出動作を検出するリジェクトボタンセンサ41を設け、さらに、リジェクトボタンセンサ41がメダルセレクタ30の排出動作を検出したことを契機に、第１メダルセンサ31及び第２メダルセンサ32から出力されるメダル信号の信号レベルをＬレベルに強制的に固定するＬレベル固定部50をメダルセレクタ30に設けたので、リジェクトボタン８を押圧操作してメダルセレクタ30を開き続けると、リジェクトボタンセンサ41によってリジェクトボタン８の位置変位が検出され、この位置変位の検出を契機として、Ｌレベル固定部50が、第１メダルセンサ31及び第２メダルセンサ32から出力されるメダル信号を両方ともＬレベルに強制的に固定する。
このため、「クレ満ゴト」用に用意された欺瞞器具の平板部材をメダル投入口7Bに挿入し、平板部材の先端に設けた発光ダイオードを第１メダルセンサ31及び第２メダルセンサ32の近傍で発光させても、メダルセレクタ30が開いた状態では、制御装置である主制御基板80が受け取るメダル信号の状態は、Ｌレベルに強制的に固定されるので、リジェクトボタン８を押圧操作した状態で欺瞞器具を動作させても、クレジット数を増やすことができず、これにより、「クレ満ゴト」を防止することができるうえ、主制御基板80がメダル停滞エラーを発報するので、「クレ満ゴト」の発生を報知することもできる。
【００５２】
また、前述したように、第１メダルセンサ31及び第２メダルセンサ32として反射型フォトインターラプタ式センサを採用し、さらに、信号状態固定手段として、メダルセレクタ30側に設けられ、且つ、第１メダルセンサ31及び第２メダルセンサ32のフォトトランジスタ34出力端であるコレクタとグランドとの間に電気的に接続されるとともに、リジェクトボタンセンサ41がメダルセレクタ30の排出動作を検出したことを契機に電気的に閉じることで、フォトトランジスタ34のコレクタをグランドに短絡させるトランジスタQ1を備えたＬレベル固定部50を採用したので、メダルセレクタ30にトランジスタ及び直流抵抗器等からなる簡単な電子回路を追加することで、Ｌレベル固定部50を容易に付加することができるうえ、メダルセレクタ30側にＬレベル固定部50を設けたので、メダルセレクタ30と主制御基板80との間の配線が増加することもなく、また、主制御基板80側を何ら改造する必要がないので、Ｌレベル固定部50を備えたメダルセレクタ30を極めて容易に実施することができる。
【００５３】
さらに、第１メダルセンサ31及び第２メダルセンサ32のＬＥＤ33とグランドとの間にＬＥＤ33と直列に配列されるように電気的に接続されるとともに、第１メダルセンサ31及び第２メダルセンサ32のフォトトランジスタ34と、トランジスタQ1との電気的導通が遮断されると、電気的に開くフォトトランジスタ63を含んで構成されたフォトカプラ61を備えたＨレベル信号固定部60をメダルセレクタ30に設け、第１メダルセンサ31及び第２メダルセンサ32のフォトトランジスタ34と、トランジスタQ1との電気的導通が遮断されると、フォトカプラ61のフォトトランジスタ63が電気的に開くことによって、第１メダルセンサ31及び第２メダルセンサ32のＬＥＤ33の駆動電流が遮断されるようにしたので、Ｌレベル固定部50が作動しないように、第１メダルセンサ31及び第２メダルセンサ32のフォトトランジスタ34と、トランジスタQ1との間の配線を切断すると、第１メダルセンサ31及び第２メダルセンサ32のフォトトランジスタ34と、トランジスタQ1との電気的導通が遮断され、フォトカプラ61のフォトトランジスタ63が電気的に開き、これにより、第１メダルセンサ31及び第２メダルセンサ32のＬＥＤ33の駆動電流が遮断され、ＬＥＤ33は、消灯状態に固定される。
このため、リジェクトボタンセンサ41の検出機能を不能にするために、第１メダルセンサ31及び第２メダルセンサ32のフォトトランジスタ34と、トランジスタQ1との間の配線を切断すると、ＬＥＤ33は、消灯状態に固定され、点灯することがなくなり、主制御基板80が受け取るメダル信号の状態は、Ｈレベルに強制的に固定される。
従って、第１メダルセンサ31及び第２メダルセンサ32のフォトトランジスタ34と、トランジスタQ1との間の配線を切断して、リジェクトボタンセンサ41の検出機能を不能にし、この状態で、リジェクトボタン８を押圧したまま、「クレ満ゴト」用の欺瞞器具を作動させて、クレジット数を増やそうとしても、主制御基板80の受け取るメダル信号の状態がＨレベルに固定されるので、クレジット数を増やすことができず、この場合でも、「クレ満ゴト」を防止することができる。
【００５４】
［第２実施形態］
図５には、本発明の第２実施形態が示されている。
本第２実施形態は、前記第１実施形態におけるハードウェアで構成したメダル信号状態固定回路40を、ソフトウェアで構成したメダル信号状態固定部40A としたものである。
なお、以下の説明において、前記第１実施形態と同様の装置や部位等には、同一符号を付し、その説明を省略又は簡略する。
【００５５】
すなわち、本第２実施形態に係るメダル信号状態固定部40A は、主制御基板80に設けられたマイクロコンピュータにインストールされたプログラムによって構成されたものである。換言すると、メダル信号状態固定部40A は、マイクロコンピュータにインストールされたプログラムによって構成された複数種類のソフトウエアモジュールを備えたものとなっている。
すなわち、主制御基板80には、図５に示すように、主制御基板80に設けられたマイクロコンピュータにインストールされたプログラムによって、スロットマシン１の遊技動作を制御する遊技動作制御部42と、第１メダルセンサ31及び第２メダルセンサ32のメダル信号の状態をＬレベル又はＨレベルに固定するためのメダル信号状態固定部40A とが設けられている。
【００５６】
このうち、メダル信号状態固定部40A は、リジェクトボタンセンサ41からの操作検出信号等に基づいて、第１メダルセンサ31及び第２メダルセンサ32のメダル信号のレベルを固定する処理を行うものである。
このメダル信号状態固定部40A には、図５の如く、第１メダルセンサ31からのメダル信号の状態を保持するための第１メダル信号レジスタ部43と、第２メダルセンサ32からのメダル信号の状態を保持するための第２メダル信号レジスタ部44と、リジェクトボタンセンサ41からの操作検出信号を遅延させるための信号遅延部45と、リジェクトボタンセンサ41からの操作検出信号を導通する信号線が切断されたか否かを判定する信号線切断判定部46とが設けられている。
【００５７】
第１メダル信号レジスタ部43は、第１メダルセンサ31から第１メダル信号を受信すると、受信した第１メダル信号の状態がＨレベル及びＬレベルのいずれであるかを判定し、第１メダル信号の状態が以前の状態から変化している場合には、保持しているメダル信号の状態をＨレベル及びＬレベルの一方から他方へ更新するものとなっている。
また、第１メダル信号レジスタ部43は、信号遅延部45からＬ固定指令信号を、信号線切断判定部46からはＨ固定信号をそれぞれ受信するようになっている。
【００５８】
そして、第１メダル信号レジスタ部43は、信号遅延部45からＬ固定指令信号を受信している状態では、保持している第１メダル信号の状態をＬレベルに固定し、第１メダルセンサ31から受信した第１メダル信号がＨレベルに変化しても、保持しているメダル信号の状態をＬレベルに維持するようになっている。
一方、第１メダル信号レジスタ部43は、信号線切断判定部46からＨ固定指令信号を受信している状態では、保持している第１メダル信号の状態をＨレベルに固定し、第１メダルセンサ31から受信した第１メダル信号がＬレベルに変化しても、保持しているメダル信号の状態をＨレベルに維持するようになっている。
【００５９】
第２メダル信号レジスタ部44は、第２メダルセンサ32から第２メダル信号を受信すると、受信した第２メダル信号の状態がＨレベル及びＬレベルのいずれであるかを判定し、第２メダル信号の状態が以前の状態から変化している場合には、メダル信号の状態をＨレベル及びＬレベルの一方から他方へ更新するものとなっている。
また、第２メダル信号レジスタ部44は、第１メダル信号レジスタ部43と同様に、信号遅延部45からＬ固定指令信号を、信号線切断判定部46からはＨ固定信号をそれぞれ受信するようになっている。
【００６０】
そして、第２メダル信号レジスタ部44は、信号遅延部45からＬ固定指令信号を受信している状態では、保持している第２メダル信号の状態をＬレベルに固定し、第２メダルセンサ32から受信した第２メダル信号がＨレベルに変化しても、保持しているメダル信号の状態をＬレベルに維持するようになっている。
一方、第２メダル信号レジスタ部44は、信号線切断判定部46からＨ固定指令信号を受信している状態では、保持している第２メダル信号の状態をＨレベルに固定し、第２メダルセンサ31から受信した第２メダル信号がＬレベルに変化しても、保持しているメダル信号の状態をＨレベルに維持するようになっている。
【００６１】
信号遅延部45は、リジェクトボタンセンサ41からの操作検出信号を受信してから所定の時間が経過した時点で、当該操作検出信号の受信が継続して行われているか否かを判定するものである。そして、信号遅延部45は、当該操作検出信号の受信が継続していると判定すると、当該操作検出信号をＬ固定指令信号として、第１メダル信号レジスタ部43及び第２メダル信号レジスタ部44の両方へ送るようになっている。
【００６２】
信号線切断判定部46は、リジェクトボタンセンサ41に設けられているフォトトランジスタ41B のコレクタとの間を結ぶ信号線に流れる信号線電流又は当該信号線に印加されている信号線電圧を検出し、検出した信号線電流又は信号線電圧に基づいて、当該信号線が切断されたか否かを判定するものである。
そして、信号線電流を検出する信号線切断判定部46を採用した場合、信号線切断判定部46は、信号線電流が所定の電流値より少なくなったときに、Ｈ固定指令信号を第１メダル信号レジスタ部43及び第２メダル信号レジスタ部44の両方へ送るようになっている。
一方、信号線電圧を検出する信号線切断判定部46を採用した場合、信号線切断判定部46は、信号線電圧が所定の電圧値より大きくなったときに、Ｈ固定指令信号を第１メダル信号レジスタ部43及び第２メダル信号レジスタ部44の両方へ送るようになっている。
【００６３】
（メダル信号受信処理）
次に、本実施形態に係る主制御基板80によるメダル信号受信処理について図６〜図９のフローチャートを参照しながら説明する。ここで、主制御基板80によるメダル信号受信処理は、遊技の動作を制御する遊技動作制御処理と時分割多重処理され、遊技者から見ると同時に行われているものとなっている。
【００６４】
メダル信号受信処理は、スロットマシン１の電源が投入されると、遊技動作制御処理が開始されるのに伴って開始される。具体的には、メダル信号受信処理は、図６に示すように、ステップＳ1000から開始される断線判定対応処理、ステップＳ2000から開始されるリジェクトボタン操作対応処理、及び、ステップＳ3000から開始されるメダル信号状態更新処理が順次行われるようになっている。
【００６５】
（断線判定対応処理）
ステップＳ1000から開始される断線判定対応処理は、図７に示すように、まず、ステップＳ1100において、信号線切断判定部46によってリジェクトボタンセンサ41との間を結ぶ信号線の切断を検出する断線検出処理が行われる。そして、この断線検出処理が完了したら、次のステップＳ1200へ進む。
【００６６】
ステップＳ1200では、ステップＳ1000における断線検出処理の結果に基づいて、リジェクトボタンセンサ41との間を結ぶ信号線が切断されているか否かが判定される。
このステップＳ1200で、リジェクトボタンセンサ41との間を結ぶ信号線が切断されていると判定されなかった場合、ステップＳ1500へ進む一方、信号線が切断されていると判定された場合、次のステップＳ1300へ進む。
【００６７】
ステップＳ1300では、第１メダル信号レジスタ部43及び第２メダル信号レジスタ部44が保持しているメダル信号の状態が既にＨレベルに固定されているか否かが判定される。
このステップＳ1300で、メダル信号の状態が既にＨレベルに固定されていると判定されなかった場合、このステップＳ1300を以て、断線判定対応処理は完了し、ステップＳ2000から開始されるリジェクトボタン操作対応処理へ進む。
一方、ステップＳ1300で、メダル信号の状態が既にＨレベルに固定されていると判定された場合、次のステップＳ1400へ進む。
【００６８】
ステップＳ1400では、第１メダル信号レジスタ部43及び第２メダル信号レジスタ部44に対して、メダル信号をＨレベルに固定している状態を解除し、メダル信号の状態をＬレベルへ更新可能にするＨレベルの固定解除処理が行われる。このＨレベルの固定解除処理が終了すると、断線判定対応処理は完了し、ステップＳ2000から開始されるリジェクトボタン操作対応処理へ進む。
【００６９】
ステップＳ1200からステップＳ1500へ進んだ場合、ステップＳ1500では、第１メダル信号レジスタ部43及び第２メダル信号レジスタ部44が保持しているメダル信号の状態が既にＨレベルに固定されているか否かが判定される。
このステップＳ1500で、メダル信号の状態が既にＨレベルに固定されていると判定された場合、このステップＳ1500を以て、断線判定対応処理は完了し、ステップＳ2000から開始されるリジェクトボタン操作対応処理へ進む。
一方、ステップＳ1500で、メダル信号の状態が既にＨレベルに固定されていると判定されなかった場合、次のステップＳ1600へ進む。
【００７０】
ステップＳ1600では、第１メダル信号レジスタ部43及び第２メダル信号レジスタ部44に対して、保持しているメダル信号をＨレベルに固定させるＨレベルへの固定処理が行われる。このＨレベルへの固定処理が終了すると、断線判定対応処理は完了し、ステップＳ2000から開始されるリジェクトボタン操作対応処理へ進む。
【００７１】
（リジェクトボタン操作対応処理）
ステップＳ2000から開始されるリジェクトボタン操作対応処理は、図８に示すように、まず、ステップＳ2100において、リジェクトボタンセンサ41が操作中であるか否かを判定がなされる。
このステップＳ2100で、リジェクトボタンセンサ41が操作中であると判定されなかった場合、ステップＳ2400へ進む一方、リジェクトボタンセンサ41が操作中であると判定された場合、次のステップＳ2200へ進む。
【００７２】
ステップＳ2200では、信号遅延部45に設けられた内部タイマーの計時時間ｔが「０」であるか否かが判定される。
ステップＳ2200で、内部タイマーの計時時間ｔが「０」であると判定されなかった場合、次のＳ2210をスキップして、ステップＳ2220へ進む。
一方、ステップＳ2200で、内部タイマーの計時時間ｔが「０」であると判定された場合、次のＳ2210へ進む。
ステップＳ2210では、信号遅延部45に設けられた内部タイマーをスタートさせるタイマースタート処理が行われ、このタイマースタート処理によって内部タイマーがスタートしたら、次のステップＳ2220へ進む。
【００７３】
ステップＳ2220では、信号遅延部45に設けられた内部タイマーの計時時間ｔが所定時間「Ｔ」に達したか否かが判定される。
ステップＳ2220で、内部タイマーの計時時間ｔが所定時間「Ｔ」に達したと判定されなかった場合、このステップＳ2200を以て、リジェクトボタン操作対応処理は完了し、ステップＳ3000から開始されるメダル信号状態更新処理へ進む。
一方、ステップＳ2220で、内部タイマーの計時時間ｔが所定時間「Ｔ」に達したと判定された場合、次のＳ2230へ進む。
ステップＳ2230では、第１メダル信号レジスタ部43及び第２メダル信号レジスタ部44に対して、保持しているメダル信号をＬレベルに固定させるＬレベルへの固定処理が行われる。このＬレベルへの固定処理が終了すると、リジェクトボタン操作対応処理は完了し、ステップＳ3000から開始されるメダル信号状態更新処理へ進む。
【００７４】
ステップＳ2100からステップＳ2300へ進んだ場合、ステップＳ2300では、信号遅延部45に設けられた内部タイマーの計時時間ｔが「０」よりも大きいか否かが判定される。
ステップＳ2300で、内部タイマーの計時時間ｔが「０」よりも大きいと判定されなかった場合、次のＳ2310をスキップして、ステップＳ2320へ進む。
一方、ステップＳ2300で、内部タイマーの計時時間ｔが「０」よりも大きいと判定された場合、次のＳ2310へ進む。
ステップＳ2310では、信号遅延部45に設けられた内部タイマーを停止させるとともに、、その計時時間ｔを「０」にリセットするタイマーリセット処理が行われ、このタイマーリセット処理によって計時時間ｔが「０」となったら、次のステップＳ2320へ進む。
【００７５】
ステップＳ2320では、第１メダル信号レジスタ部43及び第２メダル信号レジスタ部44が保持しているメダル信号の状態が既にＬレベルに固定されているか否かが判定される。
このステップＳ2320で、メダル信号の状態が既にＬレベルに固定されていると判定されなかった場合、このステップＳ2320を以て、リジェクトボタン操作対応処理は完了し、ステップＳ3000から開始されるメダル信号状態更新処理へ進む。
一方、ステップＳ2320で、メダル信号の状態が既にＬレベルに固定されていると判定された場合、次のステップＳ2330へ進む。
【００７６】
ステップＳ2330では、第１メダル信号レジスタ部43及び第２メダル信号レジスタ部44に対して、メダル信号をＬレベルに固定している状態を解除し、メダル信号の状態をＨレベルへ更新可能にするＬレベルの固定解除処理が行われる。このＬレベルの固定解除処理が終了すると、断線判定対応処理は完了し、リジェクトボタン操作対応処理は完了し、ステップＳ3000から開始されるメダル信号状態更新処理へ進む。
【００７７】
（メダル信号状態更新処理）
ステップＳ3000から開始されるメダル信号状態更新処理は、図９に示すように、まず、ステップＳ3100において、第１メダル信号レジスタ部43及び第２メダル信号レジスタ部44が保持しているメダル信号の状態がＬレベルに固定されている状態にあるか、換言すると、Ｌレベルに固定中であるか否かが判定される。
このステップＳ3100で、Ｌレベルに固定中であると判定された場合、このステップＳ3100を以て、メダル信号状態更新処理が完了し、ひいては、１回分のメダル信号受信処理も完了する。
一方、ステップＳ3100で、Ｌレベルに固定中であると判定されなかった場合、次のステップＳ3200へ進む。
【００７８】
ステップＳ3200では、第１メダル信号レジスタ部43及び第２メダル信号レジスタ部44が保持しているメダル信号の状態がＨレベルに固定されている状態にあるか、換言すると、Ｈレベルに固定中であるか否かが判定される。
このステップＳ3200で、Ｈレベルに固定中であると判定された場合、このステップＳ3200を以て、メダル信号状態更新処理が完了し、ひいては、１回分のメダル信号受信処理も完了する。
一方、ステップＳ3200で、Ｈレベルに固定中であると判定されなかった場合、次のステップＳ3300へ進む。
【００７９】
ステップＳ3300では、第１メダルセンサ31及び第２メダルセンサ32のそれぞれから第１メダル信号及び第２メダル信号を受信するメダル信号受信処理が行われる。このメダル信号受信処理が完了したら、次のステップＳ3400へ進む。
【００８０】
ステップＳ3400では、受信した新しい第１及び第２メダル信号が、第１メダル信号レジスタ部43及び第２メダル信号レジスタ部44が保持している前回の第１及び第２メダル信号と異なったものであるか否か、換言すると、第１及び第２メダル信号の状態が変化したか否かが判定される。
このステップＳ3400で、メダル信号の状態が変化したと判定されなかった場合、このステップＳ3400を以て、メダル信号状態更新処理が完了し、ひいては、１回分のメダル信号受信処理も完了する。
一方、ステップＳ3400で、メダル信号の状態が変化したと判定された場合、次のステップＳ3500へ進む。
【００８１】
ステップＳ3500では、第１メダル信号レジスタ部43及び第２メダル信号レジスタ部44が保持しているメダル信号の状態を更新するメダル信号レジスタ部の状態更新処理を行う。具体的に説明すると、第１メダル信号レジスタ部43及び第２メダル信号レジスタ部44に保持されているメダル信号の状態がＨレベルであれば、Ｌレベルに更新し、反対に、保持されているメダル信号の状態がＬレベルであれば、Ｈレベルに更新する。
このステップＳ3500におけるメダル信号レジスタ部の状態更新処理の完了により、メダル信号状態更新処理が完了し、以上で１回分のメダル信号受信処理も完了する。
そして、以上のような本第２実施形態によっても、前記第１実施形態と同様の作用効果を奏することができる。
【００８２】
なお、本発明は、前記実施形態に限定されるものではなく、本発明の目的を達成できる範囲における変形及び改良などをも含むものである。
例えば、前記実施形態では、リジェクトボタン８が操作されると、第１メダルセンサ31の第１メダル信号、及び、第２メダルセンサ32の第２メダル信号の状態をＬレベルに固定したが、これに限らず、リジェクトボタン８が操作されたことを契機に、第１メダルセンサ31の第１メダル信号、及び、第２メダルセンサ32の第２メダル信号の状態をＨレベルに固定してもよい。
【００８３】
また、前記実施形態では、リジェクトボタンセンサ41との配線が切断されると、第１メダルセンサ31の第１メダル信号、及び、第２メダルセンサ32の第２メダル信号の状態をＨレベルに固定したが、これに限らず、リジェクトボタンセンサ41との配線が切断されたことを契機に、第１メダルセンサ31の第１メダル信号、及び、第２メダルセンサ32の第２メダル信号の状態をＬレベルに固定してもよい。
【００８４】
さらに、前記実施形態では、メダルセンサ及びリジェクトボタンセンサとしてフォトインターラプタを採用したが、メダルセンサ及びリジェクトボタンセンサとしては、超音波式の近接センサ等、他の種類のセンサを採用してもよい。
また、排出動作検出センサとしては、リジェクトボタンの位置変位を検出するリジェクトボタンセンサに限らず、例えば、メダルセレクタの蓋部の位置変位を検出するセンサでもよい。
【符号の説明】
【００８５】
1    スロットマシン
8  リジェクトボタン
30  メダルセレクタ
31  第１メダルセンサ
32  第２メダルセンサ
33  発光素子としてのＬＥＤ
34  受光素子としてのフォトトランジスタ
40  信号状態固定手段としてのメダル信号状態固定回路
40A 信号状態固定手段としてのメダル信号状態固定部
41  排出動作検出センサとしてのリジェクトボタンセンサ
80  制御装置としての主制御基板
61  発光素子側スイッチング素子としてのフォトカプラ
Q1  受光素子側スイッチング素子としてのトランジスタ
【図１】
2012105851.tif 000003
【図２】
2012105851.tif 000004
【図３】
2012105851.tif 000005
【図４】
2012105851.tif 000006
【図５】
2012105851.tif 000007
【図６】
2012105851.tif 000008
【図７】
2012105851.tif 000009
【図８】
2012105851.tif 000010
【図９】
2012105851.tif 000011